(57)【要約】  【課題】  非接触ＩＣカードを財布等に入れたままでも機器使用の認証を得ることのできる機器使用許可システムを提供する。  【解決手段】  機器使用許可システム１は、利用者識別情報を記憶し送信可能な非接触ＩＣカード１０と、非接触ＩＣカード１０の利用者識別情報を受信し認証処理を行って認証が得られたら機器の使用許可信号を出力する機器使用許可装置２０とを備える。機器使用許可装置２０は、非接触ＩＣカード１０のみを挿入するＩＣカードホルダ２１１と、非接触ＩＣカード１０を入れた財布等を収納可能な小物入れ２１２と、これら間に介在された平面アンテナとを有し、平面アンテナでＩＣカードホルダ２１１および小物入れ２１２のいずれに保持したから非接触ＩＣカード１０も利用者識別情報を受信できるようにした。【選択図】  図１
2005126956.tif 000002
【特許請求の範囲】
【請求項１】
利用者識別情報を記憶した第１記憶手段、および前記第１記憶手段に記憶された利用者識別情報を外部へ送信する第１通信手段を有する非接触通信体と、
前記第１通信手段から利用者識別情報を受信する第２通信手段、前記第１通信手段から送信された利用者識別情報を前記第２通信手段により受信可能に前記非接触通信体を保持する第１保持手段、前記第１保持手段とは異なる位置に設置され前記第１通信手段から送信された利用者識別情報を前記第２通信手段により受信可能に前記非接触通信体を保持する第２保持手段、機器の使用を許可するための認証に必要な設定認証情報を記憶する第２記憶手段、および前記第２通信手段で受信した利用者識別情報と前記第２記憶手段に記憶された設定認証情報とを照合して認証が得られた場合に前記機器の使用許可信号を出力する認証手段を有する機器使用許可装置とを備えたことを特徴とする機器使用許可システム。
【請求項２】
前記第２通信手段は、前記第１保持手段と前記第２保持手段との間に配置されたアンテナを有することを特徴とする請求項１に記載の機器使用許可システム。
【請求項３】
前記第２通信手段は、フィルム状のアンテナを有することを特徴とする請求項１又は請求項２に記載の機器使用許可システム。
【請求項４】
前記機器は、車載機器であることを特徴とする請求項１乃至請求項３のいずれかに記載の機器使用許可システム。
【請求項５】
前記第１保持手段は、前記非接触通信体のみを保持するホルダであることを特徴とする請求項１乃至請求項４のいずれかに記載の機器使用許可システム。
【請求項６】
前記第２保持手段は、前記非接触通信体および小物を共に保持する小物入れであることを特徴とする請求項１乃至請求項５のいずれかに記載の機器使用許可システム。
【請求項７】
前記非接触通信体は、非接触ＩＣカードであることを特徴とする請求項１乃至請求項６のいずれかに記載の機器使用許可システム。
【請求項８】
前記非接触ＩＣカードは、電子運転免許証であることを特徴とする請求項７に記載の機器使用許可システム。
【請求項９】
前記非接触通信体を前記第１保持手段および前記第２保持手段のいずれかに保持したまま利用者が所定場所から離れた場合に報知する報知手段を備えたことを特徴とする請求項１乃至請求項８のいずれかに記載の機器使用許可システム。
【請求項１０】
利用者識別情報を記憶した非接触通信体から前記利用者識別情報を受信する通信手段と、前記非接触通信体から送信された利用者識別情報を前記通信手段により受信可能に非接触通信体を保持する第１保持手段と、前記第１保持手段とは異なる位置に設置され前記非接触通信体から送信された利用者識別情報を前記通信手段により受信可能に前記非接触通信体を保持する第２保持手段と、機器の使用を許可するための認証に必要な設定認証情報を記憶する第２記憶手段と、前記第２通信手段で受信した利用者識別情報と前記第２記憶手段に記憶された設定認証情報とを照合して認証が得られた場合に前記機器の使用許可信号を出力する認証手段とを備えたことを特徴とする機器使用許可装置。
【請求項１１】
前記通信手段は、前記第１保持手段と前記第２保持手段との間に配置されたアンテナを有することを特徴とする請求項１０に記載の機器使用許可装置。
【請求項１２】
前記通信手段は、フィルム状のアンテナを有していることを特徴とする請求項１０又は請求項１１に記載の機器使用許可装置。
【請求項１３】
前記機器は、車載機器であることを特徴とする請求項１０乃至請求項１２のいずれかに記載の機器使用許可装置。
【請求項１４】
前記第１保持手段は、前記非接触通信体のみを保持するホルダであることを特徴とする請求項１０乃至請求項１３のいずれかに記載の機器使用許可装置。
【請求項１５】
前記第２保持手段は、前記非接触通信体および小物を共に保持する小物入れであることを特徴とする請求項１０乃至請求項１４のいずれかに記載の機器使用許可装置。
【請求項１６】
前記非接触通信体は、非接触ＩＣカードであることを特徴とする請求項１０乃至請求項１５のいずれかに記載の車両側使用許可装置。
【請求項１７】
前記非接触ＩＣカードは、電子運転免許証であることを特徴とする請求項１６に記載の車両側使用許可装置。
【請求項１８】
前記非接触通信体を前記第１保持手段および前記第２保持手段のいずれかに保持したまま利用者が所定場所から離れた場合に報知する報知手段を備えたことを特徴とする請求項１０乃至請求項１７のいずれかに記載の機器使用許可装置。
【発明の詳細な説明】
【技術分野】
【０００１】
本発明は、利用者が予め制限された機器を使用する際に、利用者が有する非接触通信体から送信されてきた利用者識別情報に基づき予め記憶されている設定認証情報と照合し、認証が得られたときに機器の使用を許可するようにした機器使用許可システムおよび機器使用許可装置に関する。
【背景技術】
【０００２】
従来の機器使用許可システムは、運転者などに関するデータを記録したＩＣカードと、自動車側に設置したカードリーダと、予めデータが記録された記憶部と、カードリーダから読み込んだデータと記憶部から読み出したデータとを照合して運転者を識別し予め登録した運転者であると識別されたらドアのロック解除の信号を送信したり自動車の電源接続を行う制御部とを有し、ＩＣカードから受信したデータに基づき運転者を識別してドアロックの解除やエンジンの始動を許可するようにしている（例えば特許文献１参照）。
【特許文献１】特開２００３−１２００９４号公報
【発明の開示】
【発明が解決しようとする課題】
【０００３】
しかしながら、上記従来の機器使用許可システムは、ＩＣカードを財布等に格納している場合には、その利用の都度ＩＣカードを財布等から取り出してカードリーダに差し込まねばならず、ＩＣカードが有する非接触通信体としての良さを十分に発揮できず利便性を欠くという問題があった。
【０００４】
本発明は、従来の問題を解決するためになされたもので、非接触通信体を単独あるいは他の物とともに収納した状態であっても非接触通信体からの利用者識別情報を読み取ることができるようにして利便性を向上させた機器使用許可システムおよび機器使用許可装置を提供することを目的とする。
【課題を解決するための手段】
【０００５】
本発明の機器使用許可システムは、利用者識別情報を記憶した第１記憶手段、および第１記憶手段に記憶した利用者識別情報を送信する第１通信手段を有する非接触通信体と、第１通信手段から利用者識別情報を受信する第２通信手段、第１通信手段から送信された利用者識別情報を第２通信手段により受信可能に非接触通信体を保持する第１保持手段、第１保持手段とは異なる位置に設置され第１通信手段から送信された利用者識別情報を第２通信手段により受信可能に非接触通信体を保持する第２保持手段、機器の使用を許可するための認証に必要な設定認証情報を記憶する第２記憶手段、および第２通信手段で受信した利用者識別情報と第２記憶手段に記憶された設定認証情報とを照合して認証が得られた場合に機器の使用許可信号を出力する認証手段を有する機器使用許可装置とを備えた構成を有している。
【０００６】
この構成により、第１保持手段と第２保持手段とを用いて非接触通信体を単独あるいは他の物とともに収納でき、これらの一方に非接触通信体を保持した状態であっても第２通信手段を用いて非接触通信体からの利用者識別情報を読み取ることができ、その都度非接触通信体を財布などの入れ物等から取り出さなくても済むようになり、利便性を向上させた機器使用許可システムを提供することができる。
【０００７】
また、本発明の機器使用許可システムは、第２通信手段が、第１保持手段と第２保持手段との間に配置されたアンテナを有する構成を有している。
【０００８】
この構成により、非接触通信体が第１保持手段、第２保持手段のいずれに保持されても同じアンテナで非接触通信体から利用者識別情報を得ることができ、コンパクトかつ安価な機器使用許可システムを得ることができる。
【０００９】
また、本発明の機器使用許可システムは、第２通信手段が、フィルム状のアンテナを有する構成を有している。
【００１０】
この構成により、アンテナを第１保持手段と第２保持手段との間に容易かつコンパクトに配置できるようになるとともに、非接触通信体を保持する向きのいかんにかかわらず非接触通信体から利用者識別情報を得ることができるようになる。
【００１１】
また、本発明の機器使用許可システムは、機器が、車載機器である構成を有している。
【００１２】
この構成により、本機器使用許可システムを車両に適用することで、たとえば車両盗難の防止などといったセキュリティを確保しながら、利便性を得ることができる。
【００１３】
また、本発明の機器使用許可システムは、第１保持手段が、非接触通信体のみを保持するホルダである構成を有している。
【００１４】
この構成により、非接触通信体を単独で保持する第１保持手段を利用することより、より確実に非接触通信体から利用者識別情報を得ることが可能となる。
【００１５】
また、本発明の機器使用許可システムは、第２保持手段が、非接触通信体および小物を共に保持可能な小物入れである構成を有している。
【００１６】
この構成により、非接触通信体を財布等の小物に入れたまま第２保持手段に収納保持させても非接触通信体から利用者識別情報を得ることが可能となり、その都度非接触通信体を財布等から取り出さなくて済み利便性が向上する。
【００１７】
また、本発明の機器使用許可システムは、非接触通信体が、非接触ＩＣカードである構成を有している。
【００１８】
この構成により、コンパクトでセキュリティ性の高い非接触ＩＣカードを機器使用許可システムに利用でき、セキュリティを確保しながら携帯に便利となる。
【００１９】
また、本発明の機器使用許可システムは、非接触ＩＣカードが、電子運転免許証である構成を有している。
【００２０】
この構成により、車両を利用するときに電子運転免許証に記憶されているデータを利用者識別情報に利用できるとともに、電子運転免許証以外に他のカード等を携帯する必要がなく、電子運転免許証による認証が可能となる。
【００２１】
また、本発明の機器使用許可システムは、非接触通信体を第１保持手段および第２保持手段のいずれかに保持したまま利用者が所定場所から離れた場合に報知する報知手段を備えた構成を有する。
【００２２】
この構成により、非接触通信体をいずれかの保持手段に保持したまま所定の場所から離れてしまい非接触通信体を置き忘れてしまうことに対し警報等を発することが可能となる。
【００２３】
また、本発明の車両側使用許可装置は、利用者識別情報を記憶した非接触通信体から利用者識別情報を受信する通信手段と、非接触通信体から送信された利用者識別情報を通信手段で受信可能に非接触通信体を保持する第１保持手段と、第１保持手段とは異なる位置に設置され非接触通信体から送信された利用者識別情報を通信手段で受信可能に非接触通信体を保持する第２保持手段と、機器の使用を許可する利用者の認証に必要な設定認証情報を記憶する第２記憶手段と、第２通信手段で受信した利用者識別情報と第２記憶手段に記憶された設定認証情報とを照合して認証が得られた場合に機器の使用許可信号を出力する認証手段とを備えた構成を有する。
【００２４】
この構成により、第１保持手段と第２保持手段とを用いて非接触通信体を単独あるいは他の物とともに収納でき、これらの一方に非接触通信体を保持した状態であっても第２通信手段を用いて非接触通信体からの利用者識別情報を読み取ることができ、その都度非接触通信体を財布等の入れ物等から取り出さなくても済むようになり、利便性を向上させた機器使用許可装置を提供することができる。
【００２５】
また、本発明の車両側使用許可装置は、通信手段が、第１保持手段と第２保持手段との間に配置されたアンテナを有する構成を有している。
【００２６】
この構成により、非接触通信体が第１保持手段、第２保持手段のいずれに保持されても同じアンテナで非接触通信体から利用者識別情報を得ることができ、コンパクトかつ安価な機器使用許可装置を得ることができる。
【００２７】
また、本発明の車両側使用許可装置は、通信手段が、フィルム状のアンテナを有している構成を有している。
【００２８】
この構成により、アンテナを第１保持手段と第２保持手段との間に容易かつコンパクトに配置できるようになるとともに、非接触通信体を保持する向きのいかんにかかわらず非接触通信体から利用者識別情報を得ることができるようになる。
【００２９】
また、本発明の車両側使用許可装置は、機器は、車載機器である構成を有している。
【００３０】
この構成により、本機器使用許可装置を車両に適用することで、たとえば車両盗難の防止などといったセキュリティを確保しながら、利便性を得ることができる。
【００３１】
また、本発明の車両側使用許可装置は、第１保持手段が、非接触通信体のみを保持するホルダである構成を有している。
【００３２】
この構成により、非接触通信体を単独で保持する第１保持手段を利用することより、より確実に非接触通信体から利用者識別情報を得ることが可能となる。
【００３３】
また、本発明の車両側使用許可装置は、第２保持手段が、非接触通信体および小物を共に保持する小物入れである構成を有している。
【００３４】
この構成により、非接触通信体を財布等の小物に入れたまま第２保持手段に収納保持させても非接触通信体から利用者識別情報を得ることが可能となり、その都度非接触通信体を財布等から取り出さなくて済み利便性が向上する。
【００３５】
また、本発明の車両側使用許可装置は、非接触通信体が、非接触ＩＣカードである構成を有している。
【００３６】
この構成により、コンパクトでセキュリティ性の高い非接触ＩＣカードを機器使用許可システムに利用でき、セキュリティを確保しながら携帯に便利となる。
【００３７】
また、本発明の車両側使用許可装置は、非接触ＩＣカードが、電子運転免許証である構成を有している。
【００３８】
この構成により、車両の利用時に電子運転免許証に記憶されているデータを利用者識別情報として利用できるとともに、電子運転免許証以外に他のカード等を携帯する必要がなく利便性が向上する。
【００３９】
また、本発明の車両側使用許可装置は、非接触通信体を第１保持手段および第２保持手段のいずれかに保持したまま利用者が所定場所から離れた場合に報知する報知手段を備えた構成を有している。
【００４０】
この構成により、非接触通信体をいずれかの保持手段に保持したまま所定の場所から離れてしまい非接触通信体を置き忘れてしまうことに対し警報等を発することが可能となる。
【発明の効果】
【００４１】
本発明は、第１保持手段と第２保持手段とを用いて非接触通信体を単独あるいは他の物とともに収納でき、これらの一方に非接触通信体を保持した状態であっても第２通信手段を用いて非接触通信体からの利用者識別情報を読み取ることができ、その都度非接触通信体を財布等の入れ物等から取り出さなくても済むようになり、利便性が向上するという効果を有する機器使用許可システムおよび機器使用許可装置を提供することができる。
【発明を実施するための最良の形態】
【００４２】
以下、本発明の実施例に係る機器使用許可システムについて、図面を用いて説明する。
【００４３】
本発明の実施の形態に係る機器使用許可システムは、車両のエンジンの始動許可を行うシステムに適用したものでその構成を図１に示す。
【００４４】
図１において、機器使用許可システム１は、利用者が携帯し非接触通信体としての非接触ＩＣカード１０と、自動車側に設置されて非接触ＩＣカード１０から受信した運転者識別情報に基づき機器としてのエンジン３０の始動を許可するか否かを制御する機器使用許可装置２０とを備えている。なお、エンジン３０は、機器使用許可装置２０から使用許可が指示されたらエンジン始動装置３１により始動される。
【００４５】
非接触ＩＣカード１０は、利用者識別情報を記憶した第１記憶手段１１と、第１記憶手段１１に記憶した利用者識別情報の信号を機器使用許可装置２０へ送信する第１通信手段１２と、第１記憶手段１１からの利用者識別情報等の読み出しや書き込みの制御および第１通信手段１２の通信の制御を行う第１制御手段１３とを有する。なお、利用者識別情報は、たとえばＩＤ番号、運転免許証番号、運転者の名前や住所等であり、また、非接触ＩＣカード１０は、運転免許証を非接触ＩＣカード化した電子運転免許証を用いるようにしてもよい。さらに非接触ＩＣカードは、複数枚であってもよい。
【００４６】
一方、機器使用許可装置２０は、第１通信手段１２から利用者識別情報の信号を受信する第２通信手段２２と、第１通信手段１２から送信された利用者識別情報を第２通信手段２２が受信できるように非接触ＩＣカード１０を保持するＩＣカード保持手段２１と、第２通信手段２２で受信した利用者識別情報の信号を処理し利用者の認証を行うか否かを判定して認証が得られた場合にエンジン３０の始動を許可する第２制御手段２３とを備えている。
【００４７】
第２制御手段２３は、第２通信手段２２で受信した利用者識別情報の信号を処理して利用者識別情報を得る信号処理手段２４と、エンジン３０の始動を許可する者を認証するため予め入力した設定認証情報を記憶する第２記憶手段２６と、第２通信手段２２で受信し信号処理手段２４で得た利用者識別情報と第２記憶手段２６から読み出した設定認証情報とを照合して認証が得られた場合にエンジン３０の始動許可信号をエンジン始動装置３１に出力する認証手段２５とを備えている。なお、エンジン３０の始動許可信号は、本発明の使用許可信号を構成する。
【００４８】
ＩＣカード保持手段２１は、図２から図５に示すように、運転席から運転者の手が届く範囲内、ここでは車両のインストメントパネル４０の右下側の位置に設けられ、底部を回転中心軸として回動可能にインストメントパネル４０から引き出し、およびインストメントパネル４０内へ収納が可能な小物入れ２１２と、小物入れ２１２の表面板部２１２ａの表側面に設けられたＩＣカードホルダ２１１とで構成される。ここで、ＩＣカードホルダ２１１は、この中に図３に示すように非接触ＩＣカード１０のみを挿入、収納保持するように形成されているのに対し、小物入れ２１２は、この中に図４および図５に示すように非接触ＩＣカード１０とともにこれを収納した財布５０等の小物をも併せて収納できるように形成されている。
【００４９】
小物入れ２１２の表面板部２１２ａとＩＣカードホルダ２１１との間には、図３に点線および表面板部２１２ａとＩＣカードホルダ２１１と断面にした図４に実線で示すように、第２通信手段２２で利用するフィルム状の平面アンテナ２２ａが埋設されて、非接触ＩＣカード１０が表面板部２１２ａの表面側にあるＩＣカードホルダ２１１内に挿入された場合（非接触ＩＣカード１０を図３では実線および図４では二点鎖線でそれぞれ示す）であれ、表面板部２１２ａの裏面側の小物入れ２１２内に入れられた場合（非接触ＩＣカード１０を図４での実線および図５にそれぞれ示す）であれ、非接触ＩＣカード１０の第１通信手段１２から運転者識別情報の信号を受信できるようにしてある。
【００５０】
なお、非接触ＩＣカード１０のＩＣカードホルダ２１１への挿入は、非接触ＩＣカード１０の挿入方向、すなわちその表裏および上下各方向の区別をすることなく挿入でき、かつそのいずれ方向にあっても平面アンテナ２２ａが非接触ＩＣカード１０からの利用者識別情報の信号を受信できるようにしてある。同様に、非接触ＩＣカード１０の小物入れ２１２への収納は、小物、例えば財布５０内に非接触ＩＣカード１０を収納した状態、あるいはこれらを別々に収納してもよく、また非接触ＩＣカード１０の収納方向も表裏および上下左右各方向のいずれを向いていてもよく、これらのいずれの場合にあっても平面アンテナ２２ａが非接触ＩＣカード１０からの利用者識別情報の信号を受信できるようにしてある。
【００５１】
なお、ＩＣカードホルダ２１１は本発明の第１保持手段を、また小物入れ２１２は本発明の第２保持手段をそれぞれ構成する。
【００５２】
以上のように構成された本発明の第１の実施の形態に係る機器使用許可システム１について、その動作を図６のタイムチャートに基づき説明する。
【００５３】
まず、車両のドアを開けて乗車した使用者が、非接触ＩＣカード１０をＩＣカードホルダ２１１に挿入する（ステップＳ１ａ）か、または小物入れ２１２に入れると、第２通信手段２２から非接触ＩＣカードに電力が伝送される。これにより、非接触ＩＣカード１０は、エンジン始動許可の制御トリガ信号と、第１制御手段１３が第１記憶手段１１から読み出した利用者識別情報を含むＩＣカード情報の信号とを順次、第１通信手段１２から外部に送信する。なお、この制御トリガ信号の送信は、非接触ＩＣカード１０がＩＣカードホルダ２１１に完全に保持された後にのみ実行されるように限定されているわけではなく、非接触ＩＣカード１０がＩＣカードホルダ２１１に挿入されつつある間でも制御トリガ信号を送信することは可能である。
【００５４】
第２通信手段２２は、平面アンテナ２２ａで非接触ＩＣカード１０からエンジン始動許可の制御トリガ信号を受信し、これを第２制御手段２３に送信する（ステップＳ２）。続いて、第２通信手段２２は、非接触ＩＣカード１０から利用者識別情報を含むＩＣカード情報の信号を受信し（ステップＳ３）、これを第２制御手段２３に送信する（ステップＳ４）。
【００５５】
第２制御手段２３では、信号処理手段２４がＩＣカード情報の信号を処理して利用者識別情報を得、認証手段２５に入力する。認証手段２５は、第２通信手段２２から受信して得た利用者識別情報と、第２記憶手段２６から読み出した設定認証情報とを照合し、認証するか認証しないかの判定を行う認証処理を実行する（ステップＳ５）。
【００５６】
認証手段２５で上記両情報が一致して認証が得られれば、認証手段２５はエンジン３０の始動許可信号を出力してエンジン始動装置３１にエンジン始動許可を指示する（ステップＳ６）。始動許可信号が入力されたエンジン始動装置３１は、エンジン始動許可動作を行う（ステップＳ７）結果、イグニッション・キーをオンにするとエンジン３０が始動される状態になる。
【００５７】
一方、認証手段２５で認証が得られなければ、認証手段２５は、エンジン３０の始動許可信号をエンジン始動装置３１へ出力しない。この結果、エンジン始動装置３１がエンジン始動許可動作状態にならず、当該利用者は、イグニッション・キーをオンにしてもエンジン３０を始動させることができない。
【００５８】
このように構成した本発明の実施の形態に係る機器使用許可システム１によれば、ＩＣカードホルダ２１１と小物入れ２１２とを用いて非接触ＩＣカード１０を単独あるいは他の物とともに収納でき、これらの一方に非接触ＩＣカード１０を保持した状態であっても第２通信手段２２を用いて非接触ＩＣカード１０からの利用者識別情報を読み取ることができ、その都度非接触ＩＣカード１０を財布などの入れ物から取り出さなくても済むようになり、利便性が向上する。
【００５９】
また、アンテナをフィルム状の平面アンテナ２２ａとしてＩＣカードホルダ２１１と小物入れ２１２との間に配置したので、アンテナを容易かつコンパクトに配置できるようになるともに、非接触ＩＣカード１０の保持の向きのいかんにかかわらず非接触ＩＣカード１０から利用者識別情報を得ることができるようになる。
【００６０】
また、ＩＣカードホルダ２１１と小物入れ２１２が、非接触ＩＣカード１０をこれらに保持させたとき、同じ平面アンテナ２２ａだけで非接触ＩＣカード１０から利用者識別情報を得ることができ、機器使用許可装置２０を安価かつコンパクトに生産できる。
【００６１】
なお、上記機器使用許可システム１にあっては、使用に許可が必要な機器がエンジン３０であったが、これに限られず例えばオーディオ装置やナビゲーション装置等の別の車載機器であってもよい。
【００６２】
また、第２通信手段２２のアンテナとしては、平面アンテナ２２ａに代えて他のアンテナを用いてもよい。
【００６３】
また、非接触通信体としては、非接触ＩＣカード１０に限られることなく、携帯可能で、かつ利用者識別情報を記憶し送信可能なものであればＰＤＡ（携帯情報端末）等を含み、他のものでもよい。
【００６４】
また、ドライバが非接触ＩＣカード１０をＩＣカードホルダ２１１あるいは小物入れ２１２に入れたまま車外へ出ようとした場合に、非接触ＩＣカード１０をＩＣカードホルダ２１１か小物入れ２１２に入れたままである旨をドライバに報知する報知手段をさらに図１の機器使用許可システム１に追加して設けるようにしてもよい。すなわち、報知手段は、第２制御手段２３にて非接触ＩＣカード１０がＩＣカードホルダ２１１か小物入れ２１２に保持されている状態を検出している間に、運転席の座席に加わる運転者の荷重等を検出して運転者が運転席に着座しているか否かを検出する着座センサ、あるいは運転席側のドアが開放されたか否かを検出するドアセンサ等を用いて、運転者が車外へ出ようとするのを検出したら、スピーカによる音声出力やランプによる点滅等により運転者に報知するようにする。
【００６５】
さらに、本発明の機器使用許可システムは、図１の場合のように車両用に限られることなく、非接触通信体から送信される利用者識別情報を基に認証したら機器の使用を許可するシステムであれば、他の技術分野の機器使用許可システムにも適用してもよい。
【産業上の利用可能性】
【００６６】
以上のように、本発明にかかる機器使用許可システムおよび機器使用許可装置は、利用者識別情報を記憶し送信可能な非接触通信体を用いて、非接触通信体から受信した利用者識別情報を基に予め設定してある設定照合情報と照合して認証が得られた場合に機器の使用を許可する機器使用許可システムや機器使用許可装置等として有用である。
【図面の簡単な説明】
【００６７】
【図１】本発明の実施の形態に係る機器使用許可システムの構成を示すブロック図
【図２】ＩＣホルダおよび小物入れの車両側への取り付け状態を示す部分斜視図
【図３】ＩＣホルダおよび小物入れの正面図
【図４】ＩＣホルダおよび小物入れに非接触ＩＣカードを挿入した状態を示す断面側面図
【図５】小物入れを開いて非接触ＩＣカードを小物入れ内に収納した状態の平面図
【図６】本発明の実施の形態に係る機器使用許可システムの動作を説明するタイムチャート
【符号の説明】
【００６８】
１  機器使用許可システム
１０  非接触ＩＣカード（非接触通信体）
１１  第１記憶手段
１２  第１通信手段
２０  機器使用許可装置
２１  ＩＣカード保持手段
２２  第２通信手段
２２ａ  平面アンテナ
２５  認証手段
２６  第２記憶手段
３０  エンジン（機器）
３１  エンジン始動装置
４０  インストメントパネル
５０  財布（小物）
２１１  ＩＣカードホルダ（第１保持手段）
２１２  小物入れ（第２保持手段）
【図１】
2005126956.tif 000003
【図２】
2005126956.tif 000004
【図３】
2005126956.tif 000005
【図４】
2005126956.tif 000006
【図５】
2005126956.tif 000007
【図６】
2005126956.tif 000008